(57)【特許請求の範囲】
【請求項１】
梱包箱内で被梱包物を保持する梱包部材であって、
前記被梱包物の外形に対応して成型された凹部を有するパルプモウルド部材と、
開口に繋がる複数の切り込みが開口周縁部に形成された開口部を有し、前記梱包箱内で前記パルプモウルド部材に設置される段ボールシートとを備え、
前記開口部を介して前記被梱包物を前記凹部に収容することで、前記切り込みによって形成された片部が前記被梱包物と前記凹部との間に折り曲げられることを特徴とする梱包部材。
【請求項２】
前記段ボールシートを折り曲げて形成され、前記梱包箱内に保持された被梱包物間を仕切る仕切り壁部を備えたことを特徴とする請求項１記載の梱包部材。
【請求項３】
前記段ボールシートにおいて、前記被梱包物を前記凹部に収容したときに前記被梱包物の外形頂点が位置する箇所へ向けて前記開口部から斜めに切り込みを形成したことを特徴とする請求項１記載の梱包部材。
【発明の詳細な説明】
【技術分野】
【０００１】
この発明は、梱包箱内で被梱包物を保持する梱包部材に関する。
【背景技術】
【０００２】
古紙やパルプなどを原料に使用してパルプモウルド成型により一体に作成されるパルプモウルド部材は、原材料が安く再利用が可能であり、様々な形状に成型可能である。
このため、昨今の物流環境において、省スペース、省コスト、環境問題の観点から注目が集まっている。
従来のパルプモウルド部材としては、例えば、特許文献１，２に開示されるものがある。特許文献１，２では、被梱包物の外形の一部に対応して成型された凹部をそれぞれ有する一対のパルプモウルド部材を使用しており、これらのパルプモウルド部材で被梱包物を挟み込み、各凹部内に被梱包物を嵌め込んで保持している。
【先行技術文献】
【特許文献】
【０００３】
【特許文献１】国際公開第２００２／０３０７８７号公報
【特許文献２】特開２００４−３５２３１５号公報
【発明の概要】
【発明が解決しようとする課題】
【０００４】
特許文献１，２に代表される従来の梱包部材では、一対のパルプモウルド部材で被梱包物を挟み込むように組み付け、パルプモウルド部材の凹部が被梱包物に当接して押さえ付ける。このため、外力に対する耐性が低い製品を梱包する場合、凹部による押さえ付けが可能な箇所が限定されて、梱包にパルプモウルド部材を使用することが困難であるという課題があった。【０００５】
また、梱包の際には被梱包物を凹部に導き易くし、取り出しの際には被梱包物を容易に凹部から取り出せる方が都合がよいため、パルプモウルド部材の凹部は、一般に抜き勾配が大きく設計されている。
従って、従来では、一方のパルプモウルド部材だけで被梱包物をガタツキなく保持することはできず、２つのパルプモウルド部材を一組に使用する必要があり、コスト削減に制限があった。【０００６】
この発明は、上記のような課題を解決するためになされたもので、安価で簡易な構成で被梱包物を安定して保持することができる梱包部材を得ることを目的とする。
【課題を解決するための手段】
【０００７】
この発明に係る梱包部材は、梱包箱内で被梱包物を保持する梱包部材であって、被梱包物の外形に対応して成型された凹部を有するパルプモウルド部材と、開口に繋がる複数の切り込みが周縁部に形成された開口部を有し、梱包箱内でパルプモウルド部材に設置される段ボールシートとを備え、開口部を介して被梱包物を凹部に収容することで、切り込みにより形成された片部が被梱包物と凹部との間に折り曲げられることを特徴とする。
【発明の効果】
【０００８】
この発明によれば、安価で簡易な構成で被梱包物を安定して保持することができるという効果がある。
【図面の簡単な説明】
【０００９】
【図１】この発明の実施の形態１に係る梱包部材を示す斜視図である。
【図２】実施の形態１におけるパルプモウルド部材を示す斜視図である。
【図３】実施の形態１における段ボールシートを示す図である。
【図４】段ボールシートの開口部を示す図である。
【図５】実施の形態１に係る梱包部材で被梱包物を梱包した状態を示す部分断面図である。
【図６】図５の断面部分を拡大した図である。
【発明を実施するための形態】
【００１０】
以下、この発明をより詳細に説明するため、この発明を実施するための形態について、添付の図面に従って説明する。
実施の形態１．
図１は、この発明の実施の形態１に係る梱包部材を示す斜視図である。また、図２は、実施の形態１におけるパルプモウルド部材を示す斜視図である。
図１に示す梱包部材は、梱包箱４内に被梱包物３を保持する梱包部材であり、段ボールシート１とパルプモウルド部材２から構成される。なお、図１では、梱包箱４内の構成を示すために、梱包箱４を透明に記載している。
【００１１】
段ボールシート１は、２枚の平板の間に波板を挟んで構成される段ボール製のシートであり、開口部１ａ，１ｂおよび仕切り壁部１ｃを備えている。
また、段ボールシート１は、図１のように、梱包箱４内でパルプモウルド部材２に設置される。すなわち、被梱包物３は、段ボールシート１の開口部１ａ，１ｂを介してパルプモウルド部材２側に収容される。仕切り壁部１ｃは、梱包箱４内に保持された被梱包物３間を仕切る。
【００１２】
パルプモウルド部材２は、古紙やパルプなどを原料にパルプモウルド成型により一体に作成されるパルプモウルド部材である。また、パルプモウルド部材２は、図２に示すように、被梱包物３の外形に対応して成型された凹部２ａ，２ｂを有する。
被梱包物３が凹部２ａに収容されると、被梱包物３の外形の一部が凹部２ａの内壁部に当接して保持される。
【００１３】
なお、従来のパルプモウルド部材を用いた梱包では、図２に示すようなパルプモウルド部材を２つ用意し、被梱包物を両側から挟み込んで保持する構成であった。
これに対し、この発明では、図１に示すように、段ボールシート１と組み合わせて梱包を行うことにより、パルプモウルド部材２が１つだけでよい。これにより、従来と比べて片方のパルプモウルド部材が不要となるためにコストが削減され、パルプモウルド部材を保管しておくスペースも少なくて済む。
【００１４】
被梱包物３は、図１に示すように、開口部１ａ，１ｂを介してパルプモウルド部材２の凹部２ａ，２ｂに収容される。また、被梱包物３には、例えば、図１に示すような外力に対する耐性が低い意匠パネルを有した電子機器が挙げられる。
この発明では、強固なシャーシで被覆されている被梱包物３の本体部分のみをパルプモウルド部材２の凹部２ａに収容し、意匠パネルに当接して押さえ付ける部材はない。このため、外力に対する耐性が低い電子機器であっても安定して保持することが可能である。
【００１５】
図３は、実施の形態１における段ボールシートを示す図であり、図３（ａ）は段ボールシートの展開上面図、図３（ｂ）は段ボールシートの組み立て後の上面図である。
図３（ａ）に示すシート展開状態から、折り線ａで凹に折り曲げ、折り線ｂで凸に折り曲げることにより、図３（ｂ）に示す段ボールシート１が形成される。
【００１６】
例えば、図３（ａ）に示す折り線ｂを凸に折り曲げ、その両隣の折り線ａをそれぞれ凹に折り曲げることにより２つのシート面部が重なり合う。この状態で各シート面部の組み付け用片部１ｃ−１を捩ることで、２つのシート面部が重なり合った状態が維持されて、仕切り壁部１ｃが形成される。
【００１７】
開口部１ａは、被梱包物３の外形よりも小さい寸法で開口しており、この開口に繋がる切り込み１Ａ，１Ｂが周縁部に形成されている。また、開口部１ｂには、梱包箱４内に被梱包物３を保持したときに、被梱包物３の一部（意匠パネルの一部）が挿入される。
図１に示したように、実施の形態１に係る梱包部材では２つの被梱包物３を保持する。仕切り壁部１ｃは、開口部１ａ，１ｂを介してパルプモウルド部材２の凹部２ａ，２ｂに収容された２つの被梱包物３の間を仕切る。この仕切り壁部１ｃにより被梱包物３が接触することを確実に防止できる。
【００１８】
また、図１に示したように、この発明に係る梱包部材は、被梱包物３の意匠パネル側を保持していないが、仕切り壁部１ｃが、この意匠パネル側から受けた荷重が被梱包物３に伝わることを規制するストッパの役割を果たす。
一方、段ボールシート１は、平板と波板で形成された細管の長手方向（以下、縦目方向という）に平行に荷重を受ける場合より細管の長手方向に直角に荷重を受ける場合の方が潰れやすい。
そこで、段ボールシート１の目方向を考慮して仕切り壁部１ｃが縦目方向になるように構成する。これにより、パルプモウルド部材２とは反対側から梱包箱４に加わった荷重が被梱包物３に伝わることを的確に防止できる。
【００１９】
図４は、段ボールシートの開口部を示す図であり、図４（ａ）は開口部１ａの上面図、図４（ｂ）は開口部１ａの斜視図、図４（ｃ）は被梱包物３を挿入したときの開口部１ａを示している。また、図５は、実施の形態１に係る梱包部材で被梱包物を梱包した状態を示す部分断面図である。図６は、図５の断面部分を拡大した図である。
図４（ａ）に示すように、開口部１ａは、被梱包物３の外形領域（太枠Ａ）内に周縁部が張り出しており、この周縁部に開口に繋がる切り込み１Ａ，１Ｂが形成されている。
【００２０】
また、図４（ｂ）に示すように、切り込み１Ａ，１Ｂは、開口部１ａを介して被梱包物３を凹部２ａに収容したときに開口周縁部の被梱包物３の外形頂点が位置する箇所１Ｃへ向けて開口部１ａから斜めに形成されている。
このようにすることで、図４（ｃ）に示すように、切り込み１Ａ，１Ｂにより片部１ａ−１〜１ａ−３をそれぞれ形成することができる。
【００２１】
片部１ａ−１〜１ａ−３は、図５，６に示すように、開口部１ａを介して被梱包物３を凹部２ａに収容することにより、被梱包物３と凹部２ａとの間に折り曲げられる。
このとき、図６に示すように、被梱包物３を収容した凹部２ａの抜き勾配Ｂが片部１ａ−１〜１ａ−３によって四方から埋められて、被梱包物３をガタツキなく保持することができる。
【００２２】
また、切り込み１Ａ，１Ｂを開口部１ａから斜めに形成することにより、片部１ａ−１〜１ａ−３の開口周縁部に繋がる基部が先端部分より幅広になる。これにより、図４（ｃ）の矢印方向における片部１ａ−１〜１ａ−３の折り曲がり強度が向上する。
【００２３】
なお、開口部１ａを介して被梱包物３を凹部２ａに収容した際に、図６に示すように、片部１ａ−１〜１ａ−３の基部が被梱包物３に当接し、先端部分が被梱包物３と凹部２ａとに当接するように構成すれば、被梱包物３のガタツキを確実に抑えることができる。
【００２４】
上記説明では、この発明に係る梱包部材で被梱包物３を２つ保持する場合を示したが、１つだけでもよく、梱包箱４の容積に応じて３つ以上を保持してもよい。この場合には、隣り合う被梱包物３の間にそれぞれ仕切り壁部１ｃを設ける。
また、開口部１ａを介して被梱包物３を凹部２ａに収容する際の妨げになる被梱包物３の意匠パネルの裏面構成部分を避けるために開口部１ｂおよび凹部２ｂを設けたが、このような構成部分がない被梱包物３であれば、開口部１ｂおよび凹部２ｂを省略してかまわない。
【００２５】
以上のように、この実施の形態１によれば、被梱包物３の外形に対応して成型された凹部２ａを有するパルプモウルド部材２と、開口に繋がる複数の切り込み１Ａ，１Ｂが周縁部に形成された開口部１ａを有し、梱包箱４内でパルプモウルド部材２に設置される段ボールシート１とを備え、開口部１ａを介して被梱包物３を凹部２ａに収容することで、切り込み１Ａ，１Ｂによって形成された片部１ａ−１〜１ａ−３が被梱包物３と凹部２ａとの間に折り曲げられる。このように、実施の形態１に係る梱包部材は、段ボールシート１と１つのパルプモウルド部材２を用いた安価で簡易な構成で実現することができる。
また、片部１ａ−１〜１ａ−３が被梱包物３と凹部２ａの間に折り曲げられて凹部２ａの抜き勾配を埋めるので、被梱包物３のガタツキが低減されて被梱包物３を安定して保持することができる。
【００２６】
また、この実施の形態１によれば、段ボールシート１を折り曲げて形成され、梱包箱４内に保持された被梱包物３間を仕切る仕切り壁部１ｃを備える。このように構成することで、被梱包物３が接触することを確実に防止できる。また、１枚の段ボールの折り曲げで仕切り壁部１ｃを形成するので、コストダウンを図ることができる。
【００２７】
さらに、この実施の形態１によれば、被梱包物３を凹部２ａに収容したときに被梱包物３の外形頂点が位置する箇所１Ｃへ向けて開口部１ａから斜めに切り込み１Ａ，１Ｂを形成した。このように構成することで、被梱包物３が収容された凹部２ａの抜き勾配Ｂを片部１ａ−１〜１ａ−３によって四方から埋めることができる。また、片部１ａ−１〜１ａ−３の開口周縁部に繋がる基部が先端部分より幅広になるので、片部１ａ−１〜１ａ−３の折り曲がり強度の向上を図ることができる。
【００２８】
なお、本発明はその発明の範囲内において、実施の形態の任意の構成要素の変形、もしくは実施の形態の任意の構成要素の省略が可能である。
【産業上の利用可能性】
【００２９】
この発明に係る梱包部材は、安価で簡易な構成で被梱包物を安定して保持できるので、例えば外力に対する耐性が低い意匠パネルなどを有する電子機器の梱包に好適である。
【符号の説明】
【００３０】
１  段ボールシート、１ａ，１ｂ  開口部、１ａ−１〜１ａ−３  片部、１Ａ，１Ｂ  切り込み、１Ｃ  外形頂点が位置する箇所、１ｃ  仕切り壁部、１ｃ−１  組み付け用片部、２  パルプモウルド部材、２ａ，２ｂ  凹部、３  被梱包物、４  梱包箱。
【図１】
0005847369.tif 000002
【図２】
0005847369.tif 000003
【図３】
0005847369.tif 000004
【図４】
0005847369.tif 000005
【図５】
0005847369.tif 000006
【図６】
0005847369.tif 000007